(57)【要約】    【課題】  カード状媒体を搬送基準面に摺接させて搬送することができ、カード状媒体の寄せをスムーズに行い、強度の弱いカード状媒体であっても破損を起こさないカード状媒体の搬送機構及びその搬送機構を備えたカードリーダを提供することにある。    【解決手段】  平面部と湾曲面部とで形成され、カード状媒体を搬送基準面１３に摺接させて搬送する搬送路を有するカード状媒体の搬送機構であって、平面部と湾曲面部との境界近傍には、搬送基準面１３とは逆側が搬送方向に応じて変位自在に支持された搬送ローラ（例えば搬送ローラ８ａ）が設置されていることを特徴とする。【選択図】      図１
2006282366.tif 000002
【特許請求の範囲】
【請求項１】
平面部と湾曲面部とで形成され、カード状媒体を搬送基準面に摺接させて搬送する搬送路を有するカード状媒体の搬送機構であって、
前記平面部と前記湾曲面部との境界近傍には、前記搬送基準面とは逆側が搬送方向に応じて変位自在に支持された搬送ローラが設置されていることを特徴とするカード状媒体の搬送機構。
【請求項２】
前記搬送ローラは、カード状媒体が前記湾曲面部から前記平面部へと搬送されるときは、変位自在に機能することを特徴とする請求項１記載のカード状媒体の搬送機構。
【請求項３】
前記搬送ローラは、前記カード状媒体と当接して搬送する間隔で設けられていることを特徴とする請求項１又は２記載のカード状媒体の搬送機構。
【請求項４】
前記搬送路には、搬送面を形成する搬送手段と、この搬送面側に位置するカード状媒体の情報を読み書きする情報読書き手段と、が配置されているとともに、
前記情報読書き手段を覆設する形で、前記搬送手段が設けられていることを特徴とする請求項１から３のいずれか記載のカード状媒体の搬送機構。
【請求項５】
請求項１から４のいずれか記載のカード状媒体の搬送機構を備えたカードリーダ。
【発明の詳細な説明】
【技術分野】
【０００１】
本発明は、カード状媒体を搬送基準面に摺接させて搬送するカード状媒体の搬送機構及びその搬送機構を備えたカードリーダに関するものであって、特に、カード状媒体を搬送基準面に摺接させる搬送ローラが設置されているものに関する。
【背景技術】
【０００２】
近年では、物品を購入する際に、現金での支払い以外に、クレジットカードやパーソナルチェックが多く使用されており、特に、海外ではパーソナルチェックの使用は一般化している。ここで、パーソナルチェックとは、個人用小切手のことであって、個人の日常生活に利用する目的で開設した当座預金に基づいて振り出す小切手のことである。
【０００３】
このパーソナルチェックの券面上には、銀行番号、顧客口座番号、パーソナルチェック自体のシリアルナンバーなどのＭＩＣＲ（Magnetic Ink Character Recognition ；磁気インク文字認識）データが記載してあり、これらのデータを照会することによって、パーソナルチェックの有効性を認証している。
【０００４】
例えば、特許文献１に記載された発明は、円形ドラムの周回上に磁気ヘッドを持つカード走行路からなる磁気カードリーダであって、この発明によれば、従来のリードヘッドとライトヘッドを備えた２ヘッド方式や、リード／ライトヘッド兼用の１ヘッド方式よりも処理時間の短縮とカード状媒体の走行距離を短縮させることを可能にしたものである。
【０００５】
また、カード状媒体にはそれぞれの規格によって、基準面の同位部分にＭＩＣＲなどのデータが記録されており、ＭＩＣＲデータの照会など、その記録されたデータを搬送機構内のカードリーダで読み取るためには、カード状媒体を搬送基準面に接触させる必要がある。従って、従来のカードリーダでは、カード状媒体の搬送路上に設置されている搬送ローラがカード状媒体を圧送しながら、カード状媒体を搬送基準面まで寄せて、搬送基準面に摺接させて搬送されるカード上媒体に記載されたＭＩＣＲなどのデータを磁気ヘッドで読み取るのである。
【０００６】
ここで、カード状媒体を搬送基準面に効率よく寄せる機能を有するものとして特許文献２に記載された発明がある。特許文献２に記載された発明は、従動ローラの中心軸の片側が自発的にスイングし、従動ローラ自体にスキューが生じて幅寄せ力が発生し、カード状媒体が搬送基準面に摺接する力が働き、カードのデータ部分を磁気ヘッド方向に搬送されることを可能にしたものである。
【０００７】
【特許文献１】特許第２７８３３４７号公報（段落［０００５］）
【特許文献２】実開平７−１３０５３号公報（段落［０００６］）
【発明の開示】
【発明が解決しようとする課題】
【０００８】
しかしながら、上述した従来のカードリーダでは、以下のような問題点がある。
【０００９】
まず、特許文献１に記載された発明は、円形ドラムによってカード走行路が形成され、カード状媒体を搬送しながらリード／ライトヘッドを通過させるため、必然的に円形ドラムの直径がカード状媒体の全長より長くなり、カードリーダ全体を大きくしているという問題点がある。すなわち、特許文献１に記載された発明では、円形ドラムの直径が大きくなり、その円形ドラム上をカード状媒体が搬送されるため、カードリーダ自体の高さが高くなってしいまい、近年の汎用機械の縮小化傾向には適していない。
【００１０】
また、円形ドラム上をカード状媒体が搬送される際には、常にカード状媒体が湾曲した状態で搬送されるため、パーソナルチェックなどのような薄い紙媒体は左右方向に対して早く寄らないという問題点もある。
【００１１】
一方で、特許文献２に記載されたカード状媒体の搬送は、ガイド板の外周をカード搬送路として、無端ベルトと無端ベルトに挟まれた状態で搬送される箇所があり、パーソナルチェックなどの薄い紙媒体を搬送する際には、紙媒体自体が無端ベルトによって挟まれて搬送されているだけなので、紙媒体が弛みやねじれた状態になり、引っ掛かりや紙詰まりを起こし、紙媒体の破損の原因となる。
【００１２】
また、かかるカード搬送は、挿入口よりカードを入れて、カード状媒体の寄せやデータの読書きなどのすべての工程が終わるまで一方向の搬送路で行われるため、カード全長の数倍の搬送路が必要となり、特許文献１の発明と同様に小型化には問題がある。
【００１３】
さらに、無端ベルトと無端ベルトに挟まれた状態で搬送されなくても、パーソナルチェック等の紙厚は、紙幣や旅客機等の搭乗券より薄いため、これらのカード状媒体を搬送する機構を持つカードリーダでは、ベルトにより搬送する際に多少の弛みが生じただけで、カード状媒体が詰まったり、カード状媒体の破損を起こしたりする原因となる。特に、カード状媒体を搬送基準面に寄せる機能を搬送ベルトの速度差を利用して行っているものでは、カード状媒体の強度不足によって弛みが生じるだけで、搬送基準面に寄せる機能が作用しないこともある。
【００１４】
本発明は、このような点に鑑みてなされたものであり、その目的は、カード状媒体を搬送基準面に摺接させて搬送することができ、カード状媒体の寄せをスムーズに行い、強度の弱いカード状媒体であっても破損を起こさないカード状媒体の搬送機構及びその搬送機構を備えたカードリーダを提供することにある。
【課題を解決するための手段】
【００１５】
以上のような課題を解決するために、本発明は、カード状媒体を搬送基準面に摺接させて搬送することができ、カード状媒体の寄せをスムーズに行い、強度の弱いカード状媒体であっても破損を起こさないカード状媒体の搬送機構及びその搬送機構を備えたカードリーダを特徴とする。
【００１６】
より具体的には、本発明は、以下のものを提供する。
【００１７】
（１）  平面部と湾曲面部とで形成され、カード状媒体を搬送基準面に摺接させて搬送する搬送路を有するカード状媒体の搬送機構であって、前記平面部と前記湾曲面部との境界近傍には、前記搬送基準面とは逆側が搬送方向に応じて変位自在に支持された搬送ローラが設置されていることを特徴とするカード状媒体の搬送機構。
【００１８】
本発明によれば、搬送路には、搬送基準面とは逆側が搬送方向に応じて変位自在に支持された搬送ローラによって、カード状媒体を搬送基準面に寄せる力を働かせることが可能となる。
【００１９】
具体的には、搬送ローラの搬送基準面側と、搬送ローラの搬送基準面とは逆側と、において、搬送ローラの搬送基準面とは逆側が搬送方向に変位自在に支持されている機構のために自発的にスイングし、搬送ローラ自体にスキューが生じて、カード状媒体を搬送基準面に寄せることができる。
【００２０】
また、従来、搬送路の平面部に設置されていた搬送ローラと異なり、本発明では、搬送路の平面部と湾曲面部との境界近傍に設置することによって、搬送方向に応じて搬送ローラの機能を異ならせることができる。例えば、カード状媒体が湾曲面部から平面部へと搬送されるときは、変位自在に機能することができるが、カード状媒体が平面部から湾曲面部へと搬送されるときは、変位が制限されることとなる。詳細については、後述する。
【００２１】
また、搬送路は平面部と湾曲面部をもつことで形成されていることから（例えば、小判型）、高さ方向が大きくなる円形ドラムの場合に比べて、搬送機構全体の小型化を図ることができる。より具体的には、円形ドラムタイプの搬送路を持つリーダーの高さ方向の搬送路に比べて、本発明のカード状媒体搬送路の高さ方向の搬送路を半分以下にすることが可能となる。
【００２２】
また、平面部に搬送ローラを設置することで、カード状媒体を搬送基準面により早く引き寄せることができる。すなわち、カード状媒体を搬送路の平面部で搬送している状態では、円形等の湾曲面部よりカード状媒体が左右方向に対し動きやすいことから、湾曲面部で搬送している状態での搬送基準面への寄せ効果より早くカード状媒体を寄せることが可能になる
【００２３】
また、搬送路に平面部と湾曲面部を作ることによって、円形ドラムタイプの搬送路を持つリーダーより小型化を可能とした。円形ドラムタイプの搬送路を持つリーダーの高さ方向の搬送路に比べて、本発明のカード状媒体搬送路の高さ方向の搬送路は、半分以下にすることが可能となった。カード状媒体を搬送路の平面部で搬送している状態では、カード状媒体が平面状態になり搬送されるので、湾曲面部で搬送している状態での搬送基準面への寄せ効果より、早くカード状媒体を寄せることが可能になる。また、平面部で搬送している状態では、カード状媒体が平面状態になり搬送されるので、弛みやねじれが起こりにくくなることで、イメージスキャンやＭＩＣＲデータの読書きなどを安定させることができる。
【００２４】
なお、カード状媒体とは、紙、プラスチック、ペット（ポリエチレン・テレフタレート）等材質を問うものではなく、形状も平面状の四角いもので、長さや幅等は問わず、湾曲可能であれば厚みはいかなるものであってもよい。
【００２５】
また、平面部と湾曲面部との境界近傍とは、例えば、搬送面を形成する無端ベルト等の搬送手段と、搬送手段を駆動する駆動ローラと、が当接して、搬送手段上のカード状媒体の搬送方向が変換される位置をいう。
【００２６】
（２）  前記搬送ローラは、カード状媒体が前記湾曲面部から前記平面部へと搬送されるときは、変位自在に機能することを特徴とするカード状媒体の搬送機構。
【００２７】
本発明によれば、カード状媒体が湾曲面部から平面部へと搬送されるときは、搬送ローラが変位自在に機能することによって、カード状媒体を搬送基準面に寄せる力を働かせることが可能となる。
【００２８】
（３）  前記搬送ローラは、前記カード状媒体と当接して搬送する間隔で設けられていることを特徴とするカード状媒体の搬送機構。
【００２９】
本発明によれば、搬送ローラがカード状媒体と当接して搬送する間隔で設けられていることから、カード状媒体を搬送基準面に寄せる力が常に働いていることとなる。従って、搬送路のどの領域においてもカード状媒体のだぶ付きを抑えることができ、カード状媒体に記録されたＭＩＣＲデータ等を安定して読み取ることが可能となる。換言すれば、カード状媒体の全長より短い間隔で搬送ローラが位置するので、いずれかの搬送ローラがカード状媒体を押圧した状態で搬送するため、常にカード状媒体は引っ張られて搬送することが可能になる。よって、カード状媒体が紙質の弱いものであっても、弛みやねじれが起こらなくなり、引っ掛かりや詰まりの原因を無くし、搬送することを可能にしたものである。
【００３０】
また、平面部と湾曲面部とで形成された搬送路において、カード状媒体が無端ベルト等の搬送手段と搬送ローラとで挟持されて搬送されるので、カード状媒体が搬送途中に転落したりすることはない。
【００３１】
（４）  前記搬送路には、搬送面を形成する搬送手段と、この搬送面側に位置するカード状媒体の情報を読み書きする情報読書き手段と、が配置されているとともに、前記情報読書き手段を覆設する形で、前記搬送手段が設けられていることを特徴とするカード状媒体の搬送機構。
【００３２】
本発明によれば、上記搬送路には、カード状媒体を搬送する搬送面を形成する無端ベルト等の搬送手段と、搬送面側に位置するカード状媒体の情報を読み書きする情報読書き手段と、が配置されていることから、搬送中に、カード状媒体に記憶されている情報を情報読書き手段で読み取ることが可能となる。
【００３３】
さらに、情報読書き手段と搬送手段との位置関係が、情報読書き手段を覆設する形で搬送手段が設けられている関係にあることから、搬送手段の影響を受けずに、カード状媒体の裏面側に記録されている情報を読み取ることが可能となる。
【００３４】
（５）  請求項上記（１）から（４）のいずれか記載のカード状媒体の搬送機構を備えたカードリーダ。
【００３５】
本発明によれば、上述した搬送機構のいずれかをカードリーダに備えることによって、カード状媒体を搬送基準面に効率的に寄せることを可能にしたカードリーダを提供することができる。
【００３６】
さらに、カード状媒体の全長より短い間隔で搬送ローラが位置するので、いずれかの搬送ローラがカード状媒体を押圧した常態で搬送するため、常にカード状媒体は引っ張られ、緊張した状態で搬送することが可能になる。よって、カード状搬送媒体が紙質の弱い搬送紙媒体であっても、弛みやねじれが起こらなくなり、引っ掛かりや詰まりの原因を無くし、搬送することを可能にしたものである。
【発明の効果】
【００３７】
以上説明したように、本発明によれば、搬送路を平面部と湾曲面部とで形成することでカードリーダの縮小化に資することができ、また、カード状媒体が紙質の弱いものであっても、弛みやねじれが起こらなくなり、引っ掛かりや詰まりの原因を無くし、カード状媒体の寄せをスムーズに行うことができる。
【発明を実施するための最良の形態】
【００３８】
以下、本発明を実施するための最良の形態について、図面に基づいて説明する。
【００３９】
［カードリーダの搬送機構］
図１は、本発明の実施の形態に係るカード状媒体の搬送機構を有するカードリーダ１の要部側面を示す縦断面図である。
【００４０】
図１において、カード状媒体の搬送機構を有するカードリーダ１は、無端ベルト９（図１中の１点鎖線で示す）によって搬送路が形成されている。また、搬送路周辺には、駆動ローラ３と、着磁ヘッド４と、イメージリーダ５ａと、イメージリーダ５ｂと、ＭＩＣＲ読取ヘッド６と、搬送検知センサ７ａ〜７ｅと、搬送ローラ８ａ〜８ｆと、が設置されている。
【００４１】
駆動ローラ３は、搬送路を形成する無端ベルト９を動かしてカード状媒体を搬送する動力源である。すなわち、駆動ローラ３が無端ベルト９へ動力を伝えることによって、カード状媒体が搬送される。一方で、搬送ローラ８ａ〜８ｆは、シリコンやジュラコン、コルク等の素材を中心軸に覆設してなるものである。
【００４２】
着磁ヘッド４は、カード状媒体のＭＩＣＲ文字の磁化を行うものであり、イメージリーダ５ａは、カード状媒体の表面をスキャンしてイメージデータとして読み取るものであり、イメージリーダ５ｂは、カード状媒体の裏面をスキャンしてイメージデータとして読み取るものであり、ＭＩＣＲ読取ヘッド６は、着磁ヘッド４で磁化されたＭＩＣＲデータ（磁気インク文字認識データ）を読み取るものであり、搬送検知センサ７ａ〜７ｅは、ＣＰＵ等の中央演算装置に接続されていて、カード状媒体が搬送路上を通過する際の位置を認識するものである。なお、イメージリーダ５ａ，５ｂは、カード状媒体の表面または裏面に印刷された文字，数字又はマークなどをスキャンして読み取る。
【００４３】
このような構成を有するカードリーダ１の搬送機構において、その動作を以下に説明する。まず、カード状媒体がゲート２から挿入されると、搬送検知センサ７ａでカード状媒体が検知され、駆動ローラ３が回転駆動される。駆動ローラ３が回転すると、無端ベルト９に動力が伝えられる。そして、ゲート２から挿入されたカード状媒体は、無端ベルト９と搬送ローラ８ａによって狭持されながら、カードリーダ１の奥（図１中の左方）へ圧送される。
【００４４】
ここで、ゲート２から挿入されたカード状媒体が、駆動ローラ３と搬送ローラ８ａに挟まれると、搬送ローラ８ａの一端が変位して、カード状媒体を搬送基準面に摺接させる力が働き、カード状媒体は搬送基準面と摺接しながら搬送されることになる。詳細については、［搬送ローラの寄せ機能］にて説明する。また、搬送検知センサ７ｂによってカード状媒体の通過が検知されて、着磁ヘッド４によって着磁した後、カード状媒体が着磁ヘッド４に摺接して通過する。
【００４５】
次に、カード状媒体が搬送検知センサ７ｃを通過すると、イメージリーダ５ｂによってカード状媒体の裏面がスキャンされ、続いてイメージリーダ５ａによってカード状媒体の表面がスキャンされる。なお、カード状媒体の裏面をスキャンしてイメージデータとして読み取ることができるのは、イメージリーダ５ｂを覆設する形で無端ベルト９が設けられているからである。すなわち、無端ベルト９はイメージリーダ５ｂの下方を回り込むように移動する一方で、カード状媒体はイメージリーダ５ｂの上方を移動することから、無端ベルト９が邪魔になることなく、カード状媒体の裏面をスキャンしてイメージデータとして読み取ることができる。なお、無端ベルト９をイメージリーダ５ｂの下方に懸架したとき、無端ベルト９の弛みを抑えるために、ローラ１５が設けられている。
【００４６】
次に、カード状媒体がＭＩＣＲ読取ヘッド６の下方まで達すると、カード状媒体は駆動ローラ３と搬送ローラ８ｃに挟まれて、搬送基準面と摺接しながら搬送されることになる。ここで、切換フラッパ１０が下がっている状態では、カード状媒体は排出口１１から排出される。一方で、切換フラッパ１０が下がっていない状態では、カード状媒体は駆動ローラ３の湾曲面部に沿って搬送され、カード状媒体が搬送検知センサ７ｄに達したとき、駆動ローラ３と搬送ローラ８ｄに挟まれることになる。
【００４７】
ここで、カード状媒体が駆動ローラ３と搬送ローラ８ｄに挟まれると、搬送ローラ８ｄの一端が変位して、カード状媒体を搬送基準面に摺接させる力が働き、カード状媒体は搬送基準面と摺接しながら搬送されることになる（搬送ローラ８ａと働きは同様である）。なお、詳細については、［搬送ローラの寄せ機能］にて説明する。また、搬送検知センサ７ｄによって、カード状媒体の通過が検知される。最後に、カード状媒体は、搬送ローラ８ｄ、８ｅ、８ｆへと搬送されていき、再び搬送ローラ８ａへ戻ってくる。
【００４８】
このように、カード状媒体は、イメージリーダ５ａ，５ｂにおけるスキャン、ＭＩＣＲヘッド６におけるＭＩＣＲデータの読み取りが適切に行われるまで、何回か、搬送路を図１中の左回りに回転することになる。その過程で、カード状媒体が駆動ローラ３と、搬送ローラ８ａ又は搬送ローラ８ｄとに挟まれたとき、搬送ローラ８ａ又は搬送ローラ８ｄの一端が変位することによって、カード状媒体が搬送基準面に寄せられることになる。従って、搬送ベルトの速度差を用いることによってカード状媒体を搬送基準面に寄せていた従来の搬送機構と比べて、より確実に寄せることが可能になる。また、パーソナルチェックなどの柔らかい（剛性の小さい）紙などがカード状搬送媒体となった場合であっても、シワになるだけで搬送基準面に寄らない、といったことを防ぐことができ、ひいては確実に寄せることが可能になる。
【００４９】
［搬送ローラの寄せ機能］
図２は、本発明の実施の形態に係るカード状媒体の搬送機構における駆動ローラ３及び搬送ローラ８ａ，８ｆを示す縦断面図である。より詳細には、図１に示すカードリーダ１を裏側から見たときの縦断面図である。
【００５０】
図２において、搬送ローラ８ａは、固定フレーム１２によって支持されている。また、搬送ローラ８ａと、駆動ローラ３の外周上に巻かれた無端ベルト９と、によってカード状媒体を圧送している。
【００５１】
なお、無端ベルト９は搬送面を形成する搬送手段の一例であって、搬送手段としてローラを用いてもよい。この場合は、ローラは駆動ローラ３よりも小径で、駆動ローラ３の回転がローラ同士に伝達されて、カード状媒体を搬送することができる。
【００５２】
また、駆動ローラ３は通常、同一方向に回転し、無端ベルト９へ動力を伝え、カード状媒体の処理手順と同一の方向にカード状媒体を搬送しているが、駆動ローラ３の回転方向を逆転させることによって、無端ベルト９へ逆回転の動力を伝え、カード状媒体を処理手順とは逆方向に戻すことや、ゲート２へ戻すことも可能である。
【００５３】
図３は、本発明の実施の形態に係るカード状媒体の搬送機構における駆動ローラ３及び搬送ローラ８ａ，８ｆを上から見た横断面図である。また、図４は、本発明の実施の形態に係るカード状媒体の搬送機構における駆動ローラ３及び搬送ローラ８ａを横から見た縦断面図である。なお、以下では搬送ローラ８ａを例にとって説明するが、他の搬送ローラ８ｂ〜８ｆのいずれか１つにおいても同様であるので、それらについては省略する。
【００５４】
図３において、固定フレーム１２は搬送基準面１３に固定されており、搬送ローラ８ａは中心軸１４を介して固定フレーム１２に支持されている。
【００５５】
搬送ローラ８ａの中心軸１４の一端１４ａ（搬送基準面１３側）は、搬送方向に対して固定支持されており、その中心軸１４の他端１４ｂ（搬送基準面１３と逆側）は搬送方向に自在に変位するように支持されている。従って、搬送ローラ８ａ自体にスキューが生じて、ローラ１４は、他端１４ｂの圧力が下がり、１４ａ側の圧力は変化ない。そのため、テーパローラと同様の効果により圧力の高いほうの（周速差のある）、搬送基準面１３側へ寄せの力が働くことになる。なお、搬送ローラ８ａが有する寄せ機能は、搬送ローラ８ｂ，８ｃ，８ｄ，８ｅ，８ｆの全てが有していてもよい。一方で、カード状が搬送基準面１３に摺接すると、その後は必要以上の寄せ力が掛からないように、中心軸１４ｂは走行方向とは逆に戻ろうとする。以上説明した搬送ローラ８ａの寄せ機能について、図５を用いて詳述する。
【００５６】
図５は、搬送ローラ８ａの寄せ機能について説明するための説明図である。
【００５７】
図５（ａ）に示すように、カード状媒体が搬送ローラ８ａに接触すると、摩擦力によって、中心軸１４の他端１４ｂが上に移動し、搬送ローラ８ａがカード状媒体の走行方向（中心軸１４の一端１４ａを中心として左回り）に傾く。これにより、カード状媒体は、図中の太線矢印のように搬送基準面１３に寄せられることになる。一方で、図５（ｂ）に示すように、カード状媒体は、搬送基準面１３に摺接すると、その搬送基準面１３から反作用の力を受ける。これにより、搬送ローラ１４ｂの他端１４ｂはカード状媒体の走行方向とは逆方向に戻ることになり、その結果、カード状媒体は、図中の太線矢印のように真っ直ぐ直進する。つまり、カード状媒体は、無理な力が掛かり続けないようになった状態で、搬送基準面１３に摺接しながら搬送される。なお、寄せ力は、搬送ローラ１４の押圧力に比例し、種々の媒体に対応可能になる。
【００５８】
［変形例］
図６は、本発明の他の実施の形態に係るカード状媒体の搬送機構を説明するための説明図である。
【００５９】
図６に示す搬送機構は、搬送ローラ８ｇ〜８ｌと駆動ローラ３とを有しており、搬送ローラ８ｇ〜８ｌと、駆動ローラ３の外周上に巻かれた無端ベルト９と、によってカード状媒体を圧送している。
【００６０】
図１に示すカードリーダ１は、駆動ローラ３を２個有しており、湾曲面部が搬送路上に２箇所存在していたが、図６に示す搬送機構は、湾曲面部と平面部の組合せであり、搬送ローラ８ｇと駆動ローラ３を増やし、湾曲面部と平面部の数量を増やしている。
【産業上の利用可能性】
【００６１】
本発明によれば、従来のカードリーダでは情報の読書きが難しかった、パーソナルチェックなどの強度の弱いカード状媒体であっても、破損や紙詰まりを起こずに情報の読書きを行えるものとして有用である。
【図面の簡単な説明】
【００６２】
【図１】本発明の実施の形態に係るカード状媒体の搬送機構を有するカードリーダの要部側面を示す縦断面図である。
【図２】本発明の実施の形態に係るカード状媒体の搬送機構における駆動ローラ及び搬送ローラを示す縦断面図である。
【図３】本発明の実施の形態に係るカード状媒体の搬送機構における駆動ローラ及び搬送ローラを上から見た横断面図である。
【図４】本発明の実施の形態に係るカード状媒体の搬送機構における駆動ローラ及び搬送ローラを横から見た縦断面図である。
【図５】搬送ローラの寄せ機能について説明するための説明図である。
【図６】本発明の他の実施の形態に係るカード状媒体の搬送機構を説明するための説明図である。
【符号の説明】
【００６３】
１  カードリーダ
３  駆動ローラ
４  着磁ヘッド
５ａ，５ｂ  イメージリーダ
６  ＭＩＣＲ読取ヘッド
７  搬送検知センサ
８  搬送ローラ
９  無端ベルト
【図１】
2006282366.tif 000003
【図２】
2006282366.tif 000004
【図３】
2006282366.tif 000005
【図４】
2006282366.tif 000006
【図５】
2006282366.tif 000007
【図６】
2006282366.tif 000008